(57)【要約】【課題】従来、ユーザが自分の好みに合う携帯電話の着信メロディを取得する場合、自分で携帯電話を用いて複数存在する着信メロディの配信システムにアクセスし、好みの曲を探す必要があった。一方、着信メロディ販売元はユーザの嗜好をつかむ為に購入履歴やアンケートといった手法を用いて嗜好分析を行っていたが、これらの方法ではユーザからのアクセスがなくなった場合に、ユーザニーズが変化しても対応できなかった。【解決手段】ユーザが所有する音声楽曲再生機での音声楽曲再生履歴やこの履歴を用いた嗜好分析結果を着信メロディ販売元に送信し、着信メロディ販売元はこのデータを用いて、ユーザの嗜好に合った着信メロディまたはその購入情報を携帯電話に配信する。【選択図】  図１
2004219790.tif 000002
【特許請求の範囲】
【請求項１】
音声楽曲再生装置とコンテンツ配信装置と携帯電話を用いた携帯電話着信メロディ配信システムであって、
前記音声楽曲再生装置は、前記携帯電話を特定する携帯電話特定情報を入力する為の携帯電話特定情報入力手段と、音声楽曲再生手段と、楽曲に関連した情報を生成する音声楽曲情報生成手段と、前記音声楽曲情報と前記携帯電話特定情報入力手段から取得した携帯電話特定情報を送信するユーザ情報送信手段とを備え、
前記コンテンツ配信装置は、前記ユーザ情報送信手段から送られたデータを受信する音声楽曲データ受信手段と、前記ユーザ情報送信手段から送られたデータを蓄積するユーザ情報蓄積手段と、着信メロディと前記着信メロディに関する情報が格納されたコンテンツデータベースと、前記ユーザ情報蓄積手段と前記コンテンツデータベースから取得した情報を元に配信する着信メロディを決定する送信コンテンツ判定手段と、前記送信コンテンツ判定手段によって指定された配信先へ前記着信メロディを配信する為のコンテンツ送信手段とを備え、
前記携帯電話は、前記コンテンツ送信手段によって送信されたデータを受信するコンテンツ受信手段と、前記コンテンツ受信手段によって受信したデータを保存するコンテンツ保存手段とを備えたことを特徴とするコンテンツ配信システム。
【請求項２】
音声楽曲再生装置とコンテンツ配信装置と携帯電話を用いた携帯電話着信メロディ配信システムであって、
前記音声楽曲再生装置は、前記携帯電話を特定する携帯電話特定情報を入力する為の携帯電話特定情報入力手段と、音声楽曲再生手段と、楽曲に関連した情報を生成する音声楽曲情報生成手段と、前記音声楽曲情報を保存するための音声楽曲情報蓄積手段と、前記音声楽曲情報蓄積手段から取得した前記音声楽曲情報と前記携帯電話特定情報入力手段から取得した携帯電話特定情報を送信するユーザ情報送信手段と、前記ユーザ情報送信手段を一定周期で起動するユーザ情報送信手段起動手段とを備え、
前記コンテンツ配信装置は、前記ユーザ情報送信手段から送られたデータを受信する音声楽曲データ受信手段と、前記ユーザ情報送信手段から送られたデータを蓄積するユーザ情報蓄積手段と、着信メロディと前記着信メロディに関する情報が格納されたコンテンツデータベースと、前記ユーザ情報蓄積手段と前記コンテンツデータベースから取得した情報を元に配信する着信メロディを決定する送信コンテンツ判定手段と、前記送信コンテンツ判定手段によって指定された配信先へ前記着信メロディを配信する為のコンテンツ送信手段とを備え、
前記携帯電話は、前記コンテンツ送信手段によって送信されたデータを受信するコンテンツ受信手段と、前記コンテンツ受信手段によって受信したデータを保存するコンテンツ保存手段とを備えたことを特徴とするコンテンツ配信システム。
【請求項３】
音声楽曲再生装置とコンテンツ配信装置と携帯電話を用いた携帯電話着信メロディ配信システムであって、
前記音声楽曲再生装置は、前記携帯電話を特定する携帯電話特定情報を入力する為の携帯電話特定情報入力手段と、音声楽曲再生手段と、楽曲に関連した情報を生成する音声楽曲情報生成手段と、前記音声楽曲情報と前記携帯電話特定情報入力手段から取得した携帯電話特定情報を送信するユーザ情報送信手段とを備え、
前記コンテンツ配信装置は、前記ユーザ情報送信手段から送られたデータを受信する音声楽曲データ受信手段と、前記ユーザ情報送信手段から送られたデータを蓄積するユーザ情報蓄積手段と、着信メロディと前記着信メロディに関する情報が格納されたコンテンツデータベースと、前記ユーザ情報蓄積手段と前記コンテンツデータベースから取得した情報を元に配信する着信メロディを決定する送信コンテンツ判定手段と、前記送信コンテンツ判定手段を一定周期で起動する送信コンテンツ判定手段起動手段と、前記送信コンテンツ判定手段によって指定された配信先へ前記着信メロディを配信する為のコンテンツ送信手段とを備え、
前記携帯電話は、前記コンテンツ送信手段によって送信されたデータを受信するコンテンツ受信手段と、前記コンテンツ受信手段によって受信したデータを保存するコンテンツ保存手段とを備えたことを特徴とするコンテンツ配信システム。
【請求項４】
音声楽曲再生装置とコンテンツ配信装置と携帯電話を用いる携帯電話着信メロディ配信システムであって、
前記音声楽曲再生装置は、前記携帯電話を特定する携帯電話特定情報を入力する為の携帯電話特定情報入力手段と、音声楽曲再生手段と、楽曲に関連した情報を生成する音声楽曲情報生成手段と、前記音声楽曲情報を保存するための音声楽曲情報蓄積手段と、前記音声楽曲情報蓄積手段から取得した前記音声楽曲情報と前記携帯電話特定情報入力手段から取得した携帯電話特定情報を送信するユーザ情報送信手段と、前記ユーザ情報送信手段を一定周期で起動するユーザ情報送信手段起動手段とを備え、
前記コンテンツ配信装置は、前記ユーザ情報送信手段から送られたデータを受信する音声楽曲データ受信手段と、前記ユーザ情報送信手段から送られたデータを蓄積するユーザ情報蓄積手段と、着信メロディと前記着信メロディに関する情報が格納されたコンテンツデータベースと、前記ユーザ情報蓄積手段と前記コンテンツデータベースから取得した情報を元に配信する着信メロディを決定する送信コンテンツ判定手段と、前記送信コンテンツ判定手段を一定周期で起動する送信コンテンツ判定手段起動手段と、前記送信コンテンツ判定手段によって指定された配信先へ前記着信メロディを配信する為のコンテンツ送信手段とを備え、
前記携帯電話は、前記コンテンツ送信手段によって送信されたデータを受信するコンテンツ受信手段と、前記コンテンツ受信手段によって受信したデータを保存するコンテンツ保存手段とを備えたことを特徴とするコンテンツ配信システム。
【請求項５】
前記音声楽曲再生装置は、前記携帯電話特定情報入力手段によって入力された携帯電話特定情報を保持し、前記ユーザ情報送信手段に前記携帯電話特定情報を提供する為の携帯電話特定情報保存手段が具備されていることを特徴とする請求項１〜４のいずれかに記載の携帯電話着信メロディ配信システム。
【請求項６】
前記音声楽曲再生装置は、前記携帯電話特定情報入力手段によって入力された複数の携帯電話特定情報を保持する携帯電話特定情報保存手段と、前記ユーザ情報送信手段に前記携帯電話特定情報保存手段に保存された複数の前記携帯電話特定情報から選択する手段を提供する携帯電話特定情報選択手段が具備されていることを特徴とする請求項１〜４のいずれかに記載の携帯電話着信メロディ配信システム。
【請求項７】
前記音声楽曲情報とは、曲タイトル、アーティスト名、作曲者、歌詞、曲の一部、作詞者、ジャンル、ＴＯＣ情報、ＣＤタイトル、ＣＤ発売元、ＣＤ発売日、品番のいずれかを含む情報であることを特徴とする請求項１〜６のいずれかに記載の携帯電話着信メロディ配信システム。
【請求項８】
前記音声楽曲情報とは、曲タイトル、歌詞、ＣＤタイトルから共通のキーワードを抽出したもの、もしくは、アーティスト名、作曲者、作詞者のように人の名前を表すもの、もしくは、曲の一部を抽出し、数値化したもの、もしくはジャンルをあらわすもののようにユーザの嗜好を表す情報であることを特徴とする請求項１〜６のいずれかに記載の携帯電話着信メロディ配信システム。
【発明の詳細な説明】
【０００１】
【発明の属する技術分野】
本発明は、ユーザの持つ音声楽曲再生装置等の装置より送られてくる情報を用いて、ユーザの携帯電話に着信メロディを配信する配信システムに関する。
【０００２】
【従来の技術】
従来、ユーザが自分の好みに合う携帯電話の着信メロディを取得する場合、自分で携帯電話を用いて複数存在する着信メロディの配信システムにアクセスし、好みの曲を探す必要があった。一方、着信メロディ販売元はユーザの嗜好をつかむ為に購入履歴やアンケートといった手法を用いて嗜好分析を行っていたが、これらの方法ではユーザからのアクセスがなくなった場合に、ユーザニーズが変化しても対応できなかった。
【０００３】
【特許文献１】
特開２００２−７７６９号公報
【０００４】
【発明が解決しようとする課題】
本発明は、上記事情を考慮してなされたもので、ユーザが所有する音声楽曲再生装置での音声楽曲再生履歴やこの履歴を用いた嗜好分析結果を着信メロディ販売元に送信し、着信メロディ販売元はこのデータを用いて、ユーザの嗜好に合った着信メロディまたはその購入情報を携帯電話に配信するシステムを提供することを目的とする。
【０００５】
【課題を解決するための手段】
本願の請求項１に記載の発明は、音声楽曲再生装置とコンテンツ配信装置と携帯電話を用いる携帯電話着信メロディ配信システムであって、
前記音声楽曲再生装置は前記携帯電話を特定する携帯電話特定情報を入力する為の携帯電話特定情報入力手段と、音声楽曲再生手段と、楽曲に関連した情報を生成する音声楽曲情報生成手段と、前記音声楽曲情報と前記携帯電話特定情報入力手段から取得した携帯電話特定情報を送信するユーザ情報送信手段とを備え、前記コンテンツ配信装置は前記ユーザ情報送信手段から送られたデータを受信する音声楽曲データ受信手段と、前記ユーザ情報送信手段から送られたデータを蓄積するユーザ情報蓄積手段と、着信メロディと前記着信メロディに関する情報が格納されたコンテンツデータベースと、前記ユーザ情報蓄積手段と前記コンテンツデータベースから取得した情報を元に配信する着信メロディを決定する送信コンテンツ判定手段と、前記送信コンテンツ判定手段によって指定された配信先へ前記着信メロディを配信する為のコンテンツ送信手段とを備え、前記携帯電話は前記コンテンツ送信手段によって送信されたデータを受信するコンテンツ受信手段と、前記コンテンツ受信手段によって受信したデータを保存するコンテンツ保存手段とを備えたことを特徴とするものである。
【０００６】
本願の請求項２に記載の発明は、音声楽曲再生装置とコンテンツ配信装置と携帯電話を用いる携帯電話着信メロディ配信システムであって、
前記音声楽曲再生装置は前記携帯電話を特定する携帯電話特定情報を入力する為の携帯電話特定情報入力手段と、音声楽曲再生手段と、楽曲に関連した情報を生成する音声楽曲情報生成手段と、前記音声楽曲情報を保存するための音声楽曲情報蓄積手段と、前記音声楽曲情報蓄積手段から取得した前記音声楽曲情報と前記携帯電話特定情報入力手段から取得した携帯電話特定情報を送信するユーザ情報送信手段と前記ユーザ情報送信手段を一定周期で起動するユーザ情報送信手段起動手段とを備え、前記コンテンツ配信装置は前記ユーザ情報送信手段から送られたデータを受信する音声楽曲データ受信手段と、前記ユーザ情報送信手段から送られたデータを蓄積するユーザ情報蓄積手段と、着信メロディと前記着信メロディに関する情報が格納されたコンテンツデータベースと、前記ユーザ情報蓄積手段と前記コンテンツデータベースから取得した情報を元に配信する着信メロディを決定する送信コンテンツ判定手段と、前記送信コンテンツ判定手段によって指定された配信先へ前記着信メロディを配信する為のコンテンツ送信手段とを備え、前記携帯電話は前記コンテンツ送信手段によって送信されたデータを受信するコンテンツ受信手段と、前記コンテンツ受信手段によって受信したデータを保存するコンテンツ保存手段とを備えたことを特徴とするものである。
【０００７】
本願の請求項３に記載の発明は、音声楽曲再生装置とコンテンツ配信装置と携帯電話を用いる携帯電話着信メロディ配信システムであって、
前記音声楽曲再生装置は前記携帯電話を特定する携帯電話特定情報を入力する為の携帯電話特定情報入力手段と、音声楽曲再生手段と、楽曲に関連した情報を生成する音声楽曲情報生成手段と、前記音声楽曲情報と前記携帯電話特定情報入力手段から取得した携帯電話特定情報を送信するユーザ情報送信手段とを備え、前記コンテンツ配信装置は前記ユーザ情報送信手段から送られたデータを受信する音声楽曲データ受信手段と、前記ユーザ情報送信手段から送られたデータを蓄積するユーザ情報蓄積手段と、着信メロディと前記着信メロディに関する情報が格納されたコンテンツデータベースと、前記ユーザ情報蓄積手段と前記コンテンツデータベースから取得した情報を元に配信する着信メロディを決定する送信コンテンツ判定手段と、前記送信コンテンツ判定手段を一定周期で起動する送信コンテンツ判定手段起動手段と、前記送信コンテンツ判定手段によって指定された配信先へ前記着信メロディを配信する為のコンテンツ送信手段とを備え、前記携帯電話は前記コンテンツ送信手段によって送信されたデータを受信するコンテンツ受信手段と、前記コンテンツ受信手段によって受信したデータを保存するコンテンツ保存手段とを備えたことを特徴とするものである。
【０００８】
本願の請求項４に記載の発明は、音声楽曲再生装置とコンテンツ配信装置と携帯電話を用いる携帯電話着信メロディ配信システムであって、前記音声楽曲再生装置は前記携帯電話を特定する携帯電話特定情報を入力する為の携帯電話特定情報入力手段と、音声楽曲再生手段と、楽曲に関連した情報を生成する音声楽曲情報生成手段と、前記音声楽曲情報を保存するための音声楽曲情報蓄積手段と、前記音声楽曲情報蓄積手段から取得した前記音声楽曲情報と前記携帯電話特定情報入力手段から取得した携帯電話特定情報を送信するユーザ情報送信手段と前記ユーザ情報送信手段を一定周期で起動するユーザ情報送信手段起動手段とを備え、前記コンテンツ配信装置は前記ユーザ情報送信手段から送られたデータを受信する音声楽曲データ受信手段と、前記ユーザ情報送信手段から送られたデータを蓄積するユーザ情報蓄積手段と、着信メロディと前記着信メロディに関する情報が格納されたコンテンツデータベースと、前記ユーザ情報蓄積手段と前記コンテンツデータベースから取得した情報を元に配信する着信メロディを決定する送信コンテンツ判定手段と、前記送信コンテンツ判定手段を一定周期で起動する送信コンテンツ判定手段起動手段と、前記送信コンテンツ判定手段によって指定された配信先へ前記着信メロディを配信する為のコンテンツ送信手段とを備え、前記携帯電話は前記コンテンツ送信手段によって送信されたデータを受信するコンテンツ受信手段と、前記コンテンツ受信手段によって受信したデータを保存するコンテンツ保存手段とを備えたことを特徴とするものである。
【０００９】
本願の請求項５に記載の発明は、請求項１〜４の携帯電話着信メロディ配信システムにおいて、前記音声楽曲再生装置は、前記携帯電話特定情報入力手段によって入力された携帯電話特定情報を保持し、前記ユーザ情報送信手段に前記携帯電話特定情報を提供する為の携帯電話特定情報保存手段が具備されていることを特徴とするものである。
【００１０】
本願の請求項６に記載の発明は、請求項１〜４の携帯電話着信メロディ配信システムにおいて、前記音声楽曲再生装置は、前記携帯電話特定情報入力手段によって入力された複数の携帯電話特定情報を保持する携帯電話特定情報保存手段と、前記ユーザ情報送信手段に前記携帯電話特定情報保存手段に保存された複数の前記携帯電話特定情報から選択する手段を提供する携帯電話特定情報選択手段が具備されていることを特徴とする。
【００１１】
本願の請求項７に記載の発明は、請求項１〜６の携帯電話着信メロディ配信システムにおいて、前記音声楽曲情報とは曲タイトル、アーティスト名、作曲者、歌詞、曲の一部、作詞者、ジャンル、ＣＤタイトル、ＣＤ発売元、ＣＤ発売日、品番のいずれかを含む情報であることを特徴とするものである。
【００１２】
本願の請求項８に記載の発明は、請求項１〜６の携帯電話着信メロディ配信システムにおいて、前記音声楽曲情報とは曲タイトル、歌詞、ＣＤタイトルから共通のキーワードを抽出したもの、もしくは、アーティスト名、作曲者、作詞者のように人の名前を表すもの、もしくは、曲の一部を抽出し、数値化したもの、もしくはジャンルをあらわすもの、のようにユーザの嗜好を表す情報であることを特徴とするものである。
【００１３】
【発明の実施の形態】
以下に、本発明の実施の形態について図面を参照して説明する。まず、各実施の形態において問題のモデルケースを説明し、その問題の解決手順を、本発明の各実施の形態の動作に応じて説明する。
【００１４】
（実施の形態１）
本発明の第１の実施の形態について説明する。
【００１５】
図１は本発明の実施の形態１による携帯電話着信メロディ配信システムを用いたシステム構成の一例を示すブロック図である。
【００１６】
図１において、１０１は音声楽曲再生装置、１０２はコンテンツ配信装置、１０３は携帯電話、１０４は携帯電話１０３を特定する携帯電話特定情報を入力する為の携帯電話特定情報入力手段、１０５は音声楽曲再生手段、１０６は楽曲に関連した情報を生成する音声楽曲情報生成手段、１０７は音声楽曲情報と、携帯電話特定情報入力手段１０４から取得した携帯電話特定情報を送信するユーザ情報送信手段、１０８はユーザ情報送信手段１０７から送られたデータを受信する音声楽曲データ受信手段、１０９はユーザ情報送信手段１０７から送られたデータを蓄積するユーザ情報蓄積手段、１１０は着信メロディと着信メロディに関する情報が格納されたコンテンツデータベース、１１１はユーザ情報蓄積手段１０９とコンテンツデータベース１１０から取得した情報を元に配信する着信メロディを決定する送信コンテンツ判定手段、１１２は送信コンテンツ判定手段１１２によって指定された配信先へ着信メロディを配信する為のコンテンツ送信手段、１１３はコンテンツ送信手段１１２によって送信されたデータを受信するコンテンツ受信手段、１１４はコンテンツ受信手段１１３によって受信したデータを保存するコンテンツ保存手段である。
本実施の形態の構成及び動作を具体例を挙げて説明する。
ユーザが音声楽曲再生装置１０１と携帯電話１０３を所有しているとする。ここで、音声楽曲再生装置１０１はユーザ宅にあり、インターネットに常時接続されている。また、携帯電話１０３はユーザが常時携帯している。一方、コンテンツ配信装置１０２はインターネットを介して音声楽曲再生装置１０１からユーザの情報を取得し、携帯電話１０３へは携帯電話通信網を通して着信メロディを配信することが出来るとする。また、ユーザの携帯電話特定情報とは、今回は携帯電話のメールアドレスとする。また、ユーザ情報蓄積手段１０９には各携帯電話ごとにユーザのＣＤの再生情報が蓄積されている。
いま、コンテンツ配信装置１０２は音声楽曲再生装置１０１から来る情報を用いてユーザの嗜好に合った着信メロディを携帯電話１０３に配信したいとする。
ユーザが音声楽曲再生装置１０１でＣＤを聞くために、音声楽曲再生手段１０５を用いてＣＤを再生すると、音声楽曲情報生成手段１０６によって、例えば請求項２１にあるように、曲のタイトルや歌手名、ジャンル名を含むデータを生成する。そして、このデータをユーザ情報送信手段１０７で送信する際に、携帯電話特定情報入力手段１０４によってユーザに携帯電話のメールアドレスを入力させて、音声楽曲情報と一緒にインターネットを通じてコンテンツ配信装置１０２に送る。音声楽曲データ受信手段１０８でそのデータを受け取ると、送信コンテンツ判定手段１１１がどの携帯電話を持つユーザについてのデータが届いたのかをチェックし、ユーザ情報蓄積手段１０９にユーザ情報を保存する。その後、送信コンテンツ判定手段１１１はユーザ情報蓄積手段１０９に蓄えられた情報から、例えば「海」というキーワードを抽出し、これをユーザの嗜好として、曲タイトルや歌詞の中に「海」というキーワードが入っている曲をコンテンツデータベース１１０から検索し、取得する。取得された着信メロディデータはコンテンツ送信手段１１２を用いて携帯電話１０３に送信されるので、携帯電話１０３はコンテンツ受信手段１１３によって受け取り，  コンテンツ保存手段１１４によって保存される。これにより、コンテンツ配信装置はリアルタイムにユーザの嗜好を把握し、着信メロディを携帯電話へ送信することが出来、ユーザは好みの曲を携帯電話のサイトから探すことなく取得することが出来た。
なお、携帯電話のメールアドレスが予めリモコンに保存されており、音声楽曲再生装置１０１を操作している間はリモコンコードと共に携帯電話特定情報入力手段１０４に届くようにしても良い。
また、送信コンテンツ判定手段１１１は、携帯電話１０３に対して１ヶ月間に一定回数以上のデータを送るのを防ぐ為に、１ヶ月の間に起動する回数をカウントし、一定回数起動すると、次の月まで送信できないように制限しても良い。
また、この例では送信コンテンツ判定手段１１１でユーザの嗜好を分析しているが、ＣＤ情報生成手段で嗜好を分析し、送信コンテンツ判定手段１１１でユーザ情報蓄積手段に蓄えられた嗜好のデータから送信する着信メロディのみを決定しても良い。
また、同じ着信メロディを何度も配布するのを防止するため、ユーザ情報蓄積手段１０９には送信コンテンツ判定手段１１１で選ばれた着信メロディの履歴を蓄積しても良い。
また、音声楽曲情報生成手段１０６によって生成される情報は、作曲者、歌詞、曲の一部、作詞者、ＴＯＣ情報、ＣＤタイトル、ＣＤ発売元、ＣＤ発売日、品番であってもよい。
また、音声楽曲情報生成手段１０６によって生成される情報は予めコンテンツの中に含まれていてもよいし、コンテンツに含まれた情報から、別に予め用意されたデータベースを用いて取得しても良い。
また、音声楽曲情報から抽出される嗜好とは、この例のように曲タイトル、、歌詞、ＣＤタイトルから共通のキーワードを抽出したものでもよいし、アーティスト名、作曲者、作詞者のように曲を作り出す人の名前を表すもの、もしくは、曲の一部を抽出し、メロディラインを数値化したもの、もしくはその曲が分類されるジャンル名、またはその組み合わせでもよい。
また、請求項５にあるように、音声楽曲再生装置１０１に携帯電話特定情報保存手段を設けた構成をとってもよい。この場合、ユーザ情報を送信する度に携帯電話のメールアドレスを携帯電話特定情報入力手段１０４から入力する必要が無くなり、ユーザが音声楽曲再生装置を操作していない時にも、自動的に音声楽曲情報をコンテンツ配信装置へ送信できるようになる。
【００１７】
（実施の形態２）
本発明の第２の実施の形態について説明する。
図２は本発明の実施の形態２による携帯電話着信メロディ配信システムを用いたシステム構成の一例を示すブロック図である。
図２において、２０１は音声楽曲再生装置、２０２はコンテンツ配信装置、２０３は携帯電話、２０４は携帯電話２０３を特定する携帯電話特定情報を入力する為の携帯電話特定情報入力手段、２０５は音声楽曲再生手段、２０６は楽曲に関連した情報を生成する音声楽曲情報生成手段、２０７は音声楽曲情報を保存するための音声楽曲情報蓄積手段、２０８は音声楽曲情報蓄積手段２０７から取得した音声楽曲情報と、携帯電話特定情報入力手段２０４から取得した携帯電話特定情報を送信するユーザ情報送信手段、２０９はユーザ情報送信手段２０８を一定周期で起動するユーザ情報送信手段起動手段、２１０はユーザ情報送信手段２０９から送られたデータを受信する音声楽曲データ受信手段、２１１はユーザ情報送信手段２０９から送られたデータを蓄積するユーザ情報蓄積手段、２１２は着信メロディと着信メロディに関する情報が格納されたコンテンツデータベース、２１３はユーザ情報蓄積手段２１１とコンテンツデータベース２１２から取得した情報を元に配信する着信メロディを決定する送信コンテンツ判定手段、２１４は送信コンテンツ判定手段２１３によって指定された配信先へ着信メロディを配信する為のコンテンツ送信手段、２１５はコンテンツ送信手段２１４によって送信されたデータを受信するコンテンツ受信手段、２１６はコンテンツ受信手段２１５によって受信したデータを保存するコンテンツ保存手段、である。
本実施の形態の構成及び動作を具体例を挙げて説明する。
ユーザが音声楽曲再生装置２０１と携帯電話２０３を所有しているとする。ここで、音声楽曲再生装置２０１はユーザ宅にあり、インターネットに常時接続されている。また、携帯電話２０３はユーザが常時携帯している。一方、コンテンツ配信装置２０２はインターネットを介して音声楽曲再生装置２０１からユーザの情報を取得し、携帯電話２０３へは携帯電話通信網を通して着信メロディを配信することが出来るとする。また、ユーザの携帯電話特定情報とは、今回は携帯電話のメールアドレスとする。また、ユーザ情報蓄積手段２１１には各携帯電話ごとにユーザのＣＤの再生情報が蓄積されている。また、ユーザ情報送信手段起動手段２０９が起動する周期は１週間とする。
いま、コンテンツ配信装置２０２は音声楽曲再生装置２０１から来る情報を用いてユーザの嗜好に合った着信メロディを携帯電話２０３に配信したいとする。
ユーザが音声楽曲再生装置２０１でＣＤを聞くために、音声楽曲再生手段２０５を用いてＣＤを再生すると、音声楽曲情報生成手段２０６によって、例えば請求項２１にあるように、曲のタイトルや歌手名、ジャンル名を含むデータを生成する。このデータは音声楽曲情報蓄積手段２０７に保存される。そして、１週間毎にユーザ情報送信手段起動手段２０９がユーザ情報送信手段２０８を起動すると、ユーザ情報送信手段２０８は音声楽曲情報蓄積手段２０７に保存されていたデータを、携帯電話特定情報入力手段２０４によってユーザから取得した携帯電話のメールアドレスとともに、音声楽曲情報と一緒にインターネットを通じてコンテンツ配信装置２０２に送る。音声楽曲データ受信手段２１０でそのデータを受け取ると、送信コンテンツ判定手段２１３がどの携帯電話を持つユーザについてのデータが届いたのかをチェックし、ユーザ情報蓄積手段２１１にユーザ情報を保存する。その後、送信コンテンツ判定手段２１３はユーザ情報蓄積手段２１１に蓄えられた情報から、例えば「海」というキーワードを抽出し、これをユーザの嗜好として、曲タイトルや歌詞の中に「海」というキーワードが入っている曲をコンテンツデータベース２１２から検索し、取得する。取得された着信メロディデータはコンテンツ送信手段２１４を用いて携帯電話２０２に送信されるので、携帯電話２０３はコンテンツ受信手段２１５によって受け取り，  コンテンツ保存手段２１６によって保存される。これにより、コンテンツ配信装置はリアルタイムにユーザの嗜好を把握し、着信メロディを携帯電話へ送信することが出来、ユーザは好みの曲を携帯電話のサイトから探すことなく取得することが出来た。
この構成をとることによって、実施の形態１に比べて、ユーザが音声楽曲再生装置を操作しているときに、音声楽曲情報がある程度まとまった量になってからコンテンツ配信装置２０２に送るので、携帯電話のアドレスの入力回数を減らすことが出来る。また、送信する時間帯も調節できるので、ネットワークの込まない時間帯に送信することで，スムーズなデータ転送が出来る。また、送信間隔をコントロールすることによって、コンテンツ配信装置から必要以上に着信メロディが配信されないようにすることも出来る。
なお、携帯電話のメールアドレスが予めリモコンに保存されており、音声楽曲再生装置２０１を操作している間はリモコンコードと共に携帯電話特定情報入力手段２０４に届くようにしても良い。
また、この例では送信コンテンツ判定手段２１３でユーザの嗜好を分析しているが、ＣＤ情報生成手段で嗜好を分析し送信コンテンツ判定手段２１３ではユーザ情報蓄積手段に蓄えられた嗜好のデータから送信する着信メロディのみを決定しても良い。
また、同じ着信メロディを何度も配布するのを防止するため、ユーザ情報蓄積手段２１１には送信コンテンツ判定手段２１３で選ばれた着信メロディの履歴を蓄積しても良い。
また、送信コンテンツ判定手段２１３は、携帯電話２０３に対して１ヶ月間に一定回数以上のデータを送るのを防ぐ為に、１ヶ月の間に起動する回数をカウントし、一定回数起動すると、次の月まで送信できないように制限しても良い。
また、音声楽曲情報生成手段２０６によって生成される情報は、作曲者、歌詞、曲の一部、作詞者、ＴＯＣ情報、ＣＤタイトル、ＣＤ発売元、ＣＤ発売日、品番であってもよい。
また、音声楽曲情報生成手段２０６によって生成される情報は予めコンテンツの中に含まれていてもよいし、コンテンツに含まれた情報から、別に予め用意されたデータベースを用いて取得しても良い。
また、音声楽曲情報から抽出される嗜好とは、この例のように曲タイトル、、歌詞、ＣＤタイトルから共通のキーワードを抽出したものでもよいし、アーティスト名、作曲者、作詞者のように曲を作り出す人の名前を表すもの、もしくは、曲の一部を抽出し、メロディラインを数値化したもの、もしくはその曲が分類されるジャンル名、またはその組み合わせでもよい。
また、請求項５にあるように、音声楽曲再生装置２０１に携帯電話特定情報保存手段を設けた構成をとってもよい。この場合、ユーザ情報を送信する度に携帯電話のメールアドレスを携帯電話特定情報入力手段２０４から入力する必要が無くなり、ユーザが音声楽曲再生装置を操作していない時にも、自動的に音声楽曲情報をコンテンツ配信装置へ送信できるようになる。
【００１８】
（実施の形態３）
本発明の第３の実施の形態について説明する。
図３は本発明の実施の形態３による携帯電話着信メロディ配信システムを用いたシステム構成の一例を示すブロック図である。
図３において、３０１は音声楽曲再生装置、３０２はコンテンツ配信装置、３０３は携帯電話、３０４は携帯電話５０３を特定する携帯電話特定情報を入力する為の携帯電話特定情報入力手段、３０５は音声楽曲再生手段、３０６は楽曲に関連した情報を生成する音声楽曲情報生成手段、３０７は音声楽曲情報と、携帯電話特定情報入力手段３０４から取得した携帯電話特定情報を送信するユーザ情報送信手段、３０８はユーザ情報送信手段３０７から送られたデータを受信する音声楽曲データ受信手段、３０９はユーザ情報送信手段３０７から送られたデータを蓄積するユーザ情報蓄積手段、３１０は着信メロディと着信メロディに関する情報が格納されたコンテンツデータベース、３１１はユーザ情報蓄積手段３０９とコンテンツデータベース３１０から取得した情報を元に配信する着信メロディを決定する送信コンテンツ判定手段、３１２は送信コンテンツ判定手段３１１を一定周期で起動する送信コンテンツ判定手段起動手段、３１３は送信コンテンツ判定手段３１２によって指定された配信先へ着信メロディを配信する為のコンテンツ送信手段、３１４はコンテンツ送信手段３１３によって送信されたデータを受信するコンテンツ受信手段、３１５はコンテンツ受信手段３１４によって受信したデータを保存するコンテンツ保存手段、である。
本実施の形態の構成及び動作を具体例を挙げて説明する。
ユーザが音声楽曲再生装置３０１と携帯電話３０３を所有しているとする。ここで、音声楽曲再生装置３０１はユーザ宅にあり、インターネットに常時接続されている。また、携帯電話３０３はユーザが常時携帯している。一方、コンテンツ配信装置３０２はインターネットを介して音声楽曲再生装置３０１からユーザの情報を取得し、携帯電話３０３へは携帯電話通信網を通して着信メロディを配信することが出来るとする。また、ユーザの携帯電話特定情報とは、今回は携帯電話のメールアドレスとする。また、ユーザ情報蓄積手段３０９には各携帯電話ごとにユーザのＣＤの再生情報が蓄積されている。
いま、コンテンツ配信装置３０２は音声楽曲再生装置３０１から来る情報を用いてユーザの嗜好に合った着信メロディを携帯電話３０３に配信したいとする。
ユーザが音声楽曲再生装置３０１でＣＤを聞くために、音声楽曲再生手段３０５を用いてＣＤを再生すると、音声楽曲情報生成手段３０６によって、例えば請求項２１にあるように、曲のタイトルや歌手名、ジャンル名を含むデータを生成する。そして、このデータをユーザ情報送信手段３０７で送信する際に、携帯電話特定情報入力手段３０４によってユーザに携帯電話のメールアドレスを入力させて、音声楽曲情報と一緒にインターネットを通じてコンテンツ配信装置３０２に送ると音声楽曲データ受信手段３０８でそのデータを受け取り、そのデータをユーザ情報蓄積手段３０９にユーザ情報を保存する。その後、１週間周期で送信コンテンツ判定手段起動手段３１２によって起動された送信コンテンツ判定手段３１１はユーザ情報蓄積手段３０９に登録されている各ユーザのデータについて、例えば「海」というキーワードを抽出し、これをユーザの嗜好として、曲タイトルや歌詞の中に「海」というキーワードが入っている曲をコンテンツデータベース３１０から検索し、取得する。取得された着信メロディデータはコンテンツ送信手段３１３を用いて携帯電話３０３に送信されるので、携帯電話３０３はコンテンツ受信手段３１４によって受け取り，  コンテンツ保存手段３１５によって保存される。これにより、コンテンツ配信装置はリアルタイムにユーザの嗜好を把握し、着信メロディを携帯電話へ送信することが出来、ユーザは好みの曲を携帯電話のサイトから探すことなく取得することが出来た。
この構成をとることによって、実施の形態１に比べて、コンテンツ配信装置側は、ユーザの入力があった時、という、不定期なタイミングではなく、１週間に１度というように定期的にの着信メロディ配信サービスを提供することができる。
なお、携帯電話のメールアドレスが予めリモコンに保存されており、音声楽曲再生装置３０１を操作している間はリモコンコードと共に携帯電話特定情報入力手段３０４に届くようにしても良い。
また、この例では送信コンテンツ判定手段３１１でユーザの嗜好を分析しているが、ＣＤ情報生成手段で嗜好を分析し送信コンテンツ判定手段３１１ではユーザ情報蓄積手段に蓄えられた嗜好のデータから送信する着信メロディのみを決定しても良い。
また、同じ着信メロディを何度も配布するのを防止するため、ユーザ情報蓄積手段３０９には送信コンテンツ判定手段３１１で選ばれた着信メロディの履歴を蓄積しても良い。
また、送信コンテンツ判定手段３１１は、携帯電話３０３に対して１ヶ月間に一定回数以上のデータを送るのを防ぐ為に、１ヶ月の間に起動する回数をカウントし、一定回数起動すると、次の月まで送信できないように制限しても良い。
また、音声楽曲情報生成手段３０６によって生成される情報は、作曲者、歌詞、曲の一部、作詞者、ＴＯＣ情報、ＣＤタイトル、ＣＤ発売元、ＣＤ発売日、品番であってもよい。
また、音声楽曲情報生成手段３０６によって生成される情報は予めコンテンツの中に含まれていてもよいし、コンテンツに含まれた情報から、別に予め用意されたデータベースを用いて取得しても良い。
また、音声楽曲情報から抽出される嗜好とは、この例のように曲タイトル、、歌詞、ＣＤタイトルから共通のキーワードを抽出したものでもよいし、アーティスト名、作曲者、作詞者のように曲を作り出す人の名前を表すもの、もしくは、曲の一部を抽出し、メロディラインを数値化したもの、もしくはその曲が分類されるジャンル名、またはその組み合わせでもよい。
また、請求項５にあるように、音声楽曲再生装置３０１に携帯電話特定情報保存手段を設けた構成をとってもよい。この場合、ユーザ情報を送信する度に携帯電話のメールアドレスを携帯電話特定情報入力手段３０４から入力する必要が無くなり、ユーザが音声楽曲再生装置を操作していない時にも、自動的に音声楽曲情報をコンテンツ配信装置へ送信できるようになる。
【００１９】
（実施の形態４）
本発明の第４の実施の形態について説明する。
図４は本発明の実施の形態４による携帯電話着信メロディ配信システムを用いたシステム構成の一例を示すブロック図である。
図４において、４０１は音声楽曲再生装置、４０２はコンテンツ配信装置、４０３は携帯電話、４０４は携帯電話４０３を特定する携帯電話特定情報を入力する為の携帯電話特定情報入力手段、４０５は音声楽曲再生手段、４０６は楽曲に関連した情報を生成する音声楽曲情報生成手段、４０７は音声楽曲情報を保存するための音声楽曲情報蓄積手段、４０８は音声楽曲情報蓄積手段４０７から取得した音声楽曲情報と、携帯電話特定情報入力手段４０４から取得した携帯電話特定情報を送信するユーザ情報送信手段、４０９はユーザ情報送信手段４０９を一定周期で起動するユーザ情報送信手段起動手段、４１０はユーザ情報送信手段４０９から送られたデータを受信する音声楽曲データ受信手段、４１１はユーザ情報送信手段４０９から送られたデータを蓄積するユーザ情報蓄積手段、４１２は着信メロディと着信メロディに関する情報が格納されたコンテンツデータベース、４１３はユーザ情報蓄積手段４１１とコンテンツデータベース４１２から取得した情報を元に配信する着信メロディを決定する送信コンテンツ判定手段、４１４は送信コンテンツ判定手段４１３を一定周期で起動する送信コンテンツ判定手段起動手段、４１５は送信コンテンツ判定手段４１４によって指定された配信先へ着信メロディを配信する為のコンテンツ送信手段、４１６はコンテンツ送信手段４１５によって送信されたデータを受信するコンテンツ受信手段、４１７はコンテンツ受信手段４１６によって受信したデータを保存するコンテンツ保存手段、である。
本実施の形態の構成及び動作を具体例を挙げて説明する。
ユーザが音声楽曲再生装置４０１と携帯電話４０３を所有しているとする。ここで、音声楽曲再生装置４０１はユーザ宅にあり、インターネットに常時接続されている。また、携帯電話４０３はユーザが常時携帯している。一方、コンテンツ配信装置４０２はインターネットを介して音声楽曲再生装置４０１からユーザの情報を取得し、携帯電話４０３へは携帯電話通信網を通して着信メロディを配信することが出来るとする。また、ユーザの携帯電話特定情報とは、今回は携帯電話のメールアドレスとする。また、ユーザ情報蓄積手段４１１には各携帯電話ごとにユーザのＣＤの再生情報が蓄積されている。また、ユーザ情報送信手段起動手段４０９及びコンテンツ判定手段起動手段４１４が起動する周期は１週間とする。
いま、コンテンツ配信装置４０２は音声楽曲再生装置４０１から来る情報を用いてユーザの嗜好に合った着信メロディを携帯電話４０３に配信したいとする。
ユーザが音声楽曲再生装置４０１でＣＤを聞くために、音声楽曲再生手段４０５を用いてＣＤを再生すると、音声楽曲情報生成手段４０６によって、例えば請求項２１にあるように、曲のタイトルや歌手名、ジャンル名を含むデータを生成する。このデータは音声楽曲情報蓄積手段４０７に保存される。そして、１週間毎にユーザ情報送信手段起動手段４０９がユーザ情報送信手段４０８を起動すると、ユーザ情報送信手段４０８は音声楽曲情報蓄積手段４０７に保存されていたデータを、携帯電話特定情報入力手段４０４によってユーザから取得した携帯電話のメールアドレスとともに、音声楽曲情報と一緒にインターネットを通じてコンテンツ配信装置４０２に送ると、音声楽曲データ受信手段４１０でそのデータを受け取り、ユーザ情報蓄積手段４１１にユーザ情報を保存する。その後、１週間周期で送信コンテンツ判定手段起動手段４１４によって起動された送信コンテンツ判定手段４１３はユーザ情報蓄積手段４１１に蓄えられた情報から、例えば「海」というキーワードを抽出し、これをユーザの嗜好として、曲タイトルや歌詞の中に「海」というキーワードが入っている曲をコンテンツデータベース４１２から検索し、取得する。取得された着信メロディデータはコンテンツ送信手段４１５を用いて携帯電話４０３に送信されるので、携帯電話４０３はコンテンツ受信手段４１６によって受け取り，  コンテンツ保存手段４１７によって保存される。これにより、コンテンツ配信装置はリアルタイムにユーザの嗜好を把握し、着信メロディを携帯電話へ送信することが出来、ユーザは好みの曲を携帯電話のサイトから探すことなく取得することが出来た。
この構成をとることによって、実施の形態１に比べて、コンテンツ配信装置側の送信コンテンツ判定手段起動手段と、音声楽曲再生装置のユーザ情報送信手段起動手段のタイミングを調整することによって、音声楽曲再生装置からのコンテンツ配信装置側への一時的なアクセスの集中を避け、その結果コンテンツ配信装置の処理効率の向上とネットワークのトラフィックの軽減を図ることが出来る。
なお、携帯電話のメールアドレスが予めリモコンに保存されており、音声楽曲再生装置４０１を操作している間はリモコンコードと共に携帯電話特定情報入力手段４０４に届くようにしても良い。
また、この例では送信コンテンツ判定手段４１３でユーザの嗜好を分析しているが、ＣＤ情報生成手段で嗜好を分析し送信コンテンツ判定手段４１３ではユーザ情報蓄積手段に蓄えられた嗜好のデータから送信する着信メロディのみを決定しても良い。また、同じ着信メロディを何度も配布するのを防止するため、ユーザ情報蓄積手段４１１には送信コンテンツ判定手段４１３で選ばれた着信メロディの履歴を蓄積しても良い。
また、送信コンテンツ判定手段４１３は、携帯電話４０３に対して１ヶ月間に一定回数以上のデータを送るのを防ぐ為に、１ヶ月の間に起動する回数をカウントし、一定回数起動すると、次の月まで送信できないように制限しても良い。
また、音声楽曲情報生成手段４０６によって生成される情報は、作曲者、歌詞、曲の一部、作詞者、ＴＯＣ情報、ＣＤタイトル、ＣＤ発売元、ＣＤ発売日、品番であってもよい。
また、音声楽曲情報生成手段４０６によって生成される情報は予めコンテンツの中に含まれていてもよいし、コンテンツに含まれた情報から、別に予め用意されたデータベースを用いて取得しても良い。
また、音声楽曲情報から抽出される嗜好とは、この例のように曲タイトル、、歌詞、ＣＤタイトルから共通のキーワードを抽出したものでもよいし、アーティスト名、作曲者、作詞者のように曲を作り出す人の名前を表すもの、もしくは、曲の一部を抽出し、メロディラインを数値化したもの、もしくはその曲が分類されるジャンル名、またはその組み合わせでもよい。
また、請求項５にあるように、音声楽曲再生装置４０１に携帯電話特定情報保存手段を設けた構成をとってもよい。この場合、ユーザ情報を送信する度に携帯電話のメールアドレスを携帯電話特定情報入力手段４０４から入力する必要が無くなり、ユーザが音声楽曲再生装置を操作していない時にも、自動的に音声楽曲情報をコンテンツ配信装置へ送信できるようになる。
【００２０】
（実施の形態５）
本発明の第５の実施の形態について説明する。
図５は本発明の実施の形態５による携帯電話着信メロディ配信システムを用いたシステム構成の一例を示すブロック図である。
図５において、５０１は音声楽曲再生装置、５０２はコンテンツ配信装置、５０３は携帯電話、５０４は携帯電話５０３を特定する携帯電話特定情報を入力する為の携帯電話特定情報入力手段、５０５は、携帯電話特定情報保存手段５０４で得た携帯電話特定情報を保存する為の携帯電話特定情報保存手段、５０６は音声楽曲再生手段、５０７は楽曲に関連した情報を生成する音声楽曲情報生成手段、５０８は、携帯電話特定情報保存手段５０５から携帯電話特定情報を選択する為の携帯電話特定情報選択手段、５０９は音声楽曲情報と、携帯電話特定情報選択手段５０８から取得した携帯電話特定情報を送信するユーザ情報送信手段、５１０はユーザ情報送信手段５０９から送られたデータを受信する音声楽曲データ受信手段、５１１はユーザ情報送信手段５０９から送られたデータを蓄積するユーザ情報蓄積手段、５１２は着信メロディと着信メロディに関する情報が格納されたコンテンツデータベース、５１３はユーザ情報蓄積手段５１１とコンテンツデータベース５１２から取得した情報を元に配信する着信メロディを決定する送信コンテンツ判定手段、５１４は送信コンテンツ判定手段５１３によって指定された配信先へ着信メロディを配信する為のコンテンツ送信手段、５１５はコンテンツ送信手段５１４によって送信されたデータを受信するコンテンツ受信手段、５１６はコンテンツ受信手段５１５によって受信したデータを保存するコンテンツ保存手段、である。
本実施の形態の構成及び動作を具体例を挙げて説明する。
ユーザが音声楽曲再生装置５０１と携帯電話５０３を所有しているとする。ここで、音声楽曲再生装置５０１はユーザ宅にあり、インターネットに常時接続されている。また、携帯電話５０３はユーザが常時携帯している。一方、コンテンツ配信装置５０２はインターネットを介して音声楽曲再生装置５０１からユーザの情報を取得し、携帯電話５０３へは携帯電話通信網を通して着信メロディを配信することが出来るとする。また、ユーザの携帯電話特定情報とは、今回は携帯電話のメールアドレスとする。また、ユーザ情報蓄積手段５１１には各携帯電話ごとにユーザのＣＤの再生情報が蓄積されている。
いま、コンテンツ配信装置５０２は音声楽曲再生装置５０１から来る情報を用いてユーザの嗜好に合った着信メロディを携帯電話５０３に配信したいとする。
ユーザが音声楽曲再生装置５０１でＣＤを聞くために、音声楽曲再生手段５０６を用いてＣＤを再生すると、音声楽曲情報生成手段５０７によって、例えば請求項２１にあるように、曲のタイトルや歌手名、ジャンル名を含むデータを生成する。ユーザ情報送信手段５０９は音声楽曲情報蓄積手段５０７に保存されていたデータとともに、予め携帯電話特定情報入力手段５０４によって取得されて携帯電話特定情報保存手段５０５に保存されていた携帯電話のメールアドレスを携帯電話特定情報選択手段５０８からユーザに選択させ、インターネットを通じてコンテンツ配信装置５０２に送る。音声楽曲データ受信手段５１０でそのデータを受け取ると、送信コンテンツ判定手段５１３がどの携帯電話を持つユーザについてのデータが届いたのかをチェックし、ユーザ情報蓄積手段５１１にユーザ情報を保存する。その後、送信コンテンツ判定手段５１３はユーザ情報蓄積手段５１１に蓄えられた情報から、例えば「海」というキーワードを抽出し、これをユーザの嗜好として、曲タイトルや歌詞の中に「海」というキーワードが入っている曲をコンテンツデータベース５１２から検索し、取得する。取得された着信メロディデータはコンテンツ送信手段５１４を用いて携帯電話５０３に送信されるので、携帯電話５０３はコンテンツ受信手段５１５によって受け取り，  コンテンツ保存手段５１６によって保存される。これにより、コンテンツ配信装置はリアルタイムにユーザの嗜好を把握し、着信メロディを携帯電話へ送信することが出来、ユーザは好みの曲を携帯電話のサイトから探すことなく取得することが出来た。
この構成をとることによって、実施の形態１に比べて、１つの音声楽曲再生装置を複数のユーザで共有していた場合でも、各ユーザの携帯電話に対して着信メロディの配布サービスが可能になった。
なお、この例では、携帯電話特定情報保存手段５０５に保存されていた複数ある携帯電話のメールアドレスをユーザに携帯電話特定情報選択手段５０８を用いて選択させているが、音声楽曲再生装置５０１がマルチユーザ対応で、使用時に必ず誰が使用しているか分かるようにログインなどのユーザ判別手続きを行っていた場合、その情報と携帯電話特定情報保存手段５０５に保存されている携帯電話のメールアドレスと対応させて、ユーザの指示が無くても自動的に携帯電話のメールアドレスを選択し、コンテンツ配信装置５０２に送るようにしてもよい。
また、この例では送信コンテンツ判定手段５１３でユーザの嗜好を分析しているが、ＣＤ情報生成手段で嗜好を分析し送信コンテンツ判定手段５１３ではユーザ情報蓄積手段に蓄えられた嗜好のデータから送信する着信メロディのみを決定しても良い。また、同じ着信メロディを何度も配布するのを防止するため、ユーザ情報蓄積手段５１１には送信コンテンツ判定手段５１３で選ばれた着信メロディの履歴を蓄積しても良い。
また、送信コンテンツ判定手段５１３は、携帯電話５０３に対して１ヶ月間に一定回数以上のデータを送るのを防ぐ為に、１ヶ月の間に起動する回数をカウントし、一定回数起動すると、次の月まで送信できないように制限しても良い。
また、音声楽曲情報生成手段５０６によって生成される情報は、作曲者、歌詞、曲の一部、作詞者、ＴＯＣ情報、ＣＤタイトル、ＣＤ発売元、ＣＤ発売日、品番であってもよい。
また、音声楽曲情報生成手段５０６によって生成される情報は予めコンテンツの中に含まれていてもよいし、コンテンツに含まれた情報から、別に予め用意されたデータベースを用いて取得しても良い。
また、音声楽曲情報から抽出される嗜好とは、この例のように曲タイトル、、歌詞、ＣＤタイトルから共通のキーワードを抽出したものでもよいし、アーティスト名、作曲者、作詞者のように曲を作り出す人の名前を表すもの、もしくは、曲の一部を抽出し、メロディラインを数値化したもの、もしくはその曲が分類されるジャンル名、またはその組み合わせでもよい。
【００２１】
【発明の効果】
本発明によれば、ユーザが所有する音声楽曲再生機での音声楽曲再生履歴やこの履歴を用いた嗜好分析結果のデータを着信メロディ販売元に送信し、着信メロディ販売元はこのデータを用いて、ユーザの嗜好に合った着信メロディまたはその購入情報を携帯電話に配信するシステムを提供することで、ユーザが好みの着信メロディを探す負担を減らす一方で、着信メロディ販売元がよりユーザの嗜好に近いコンテンツを提供することを可能にした。
【図面の簡単な説明】
【図１】本発明の実施の形態１による携帯電話着信メロディ配信システムの構成の一例を示すブロック図
【図２】本発明の実施の形態２による携帯電話着信メロディ配信システムの構成の一例を示すブロック図
【図３】本発明の実施の形態３による携帯電話着信メロディ配信システムの構成の一例を示すブロック図
【図４】本発明の実施の形態４による携帯電話着信メロディ配信システムの構成の一例を示すブロック図
【図５】本発明の実施の形態５による携帯電話着信メロディ配信システムの構成の一例を示すブロック図
【符号の説明】
１０１  音声楽曲再生装置
１０２  コンテンツ配信装置
１０３  携帯電話
１０４  携帯電話特定情報入力手段
１０５  音声楽曲再生手段
１０６  音声楽曲情報生成手段
１０７  ユーザ情報送信手段
１０８  音声楽曲データ受信手段
１０９  ユーザ情報蓄積手段
１１０  コンテンツデータベース
１１１  送信コンテンツ判定手段
１１２  コンテンツ送信手段
１１３  コンテンツ受信手段
１１４  コンテンツ保存手段
２０１  音声楽曲再生装置
２０２  コンテンツ配信装置
２０３  携帯電話
２０４  携帯電話特定情報入力手段
２０５  音声楽曲再生手段
２０６  音声楽曲情報生成手段
２０７  音声楽曲情報蓄積手段
２０８  ユーザ情報送信手段
２０９  ユーザ情報送信手段起動手段
２１０  ユーザ情報送信手段音声楽曲データ受信手段
２１１  ユーザ情報蓄積手段
２１２  コンテンツデータベース
２１３  送信コンテンツ判定手段
２１４  コンテンツ送信手段
２１５  コンテンツ受信手段
２１６  コンテンツ保存手段
３０１  音声楽曲再生装置
３０２  コンテンツ配信装置
３０３  携帯電話
３０４  携帯電話特定情報入力手段
３０５  音声楽曲再生手段
３０６  音声楽曲情報生成手段
３０７  ユーザ情報送信手段
３０８  音声楽曲データ受信手段
３０９  ユーザ情報蓄積手段
３１０  コンテンツデータベース
３１１  送信コンテンツ判定手段
３１２  送信コンテンツ判定手段起動手段
３１３  コンテンツ送信手段
３１４  コンテンツ受信手段
３１５  コンテンツ保存手段
４０１  音声楽曲再生装置
４０２  コンテンツ配信装置
４０３  携帯電話
４０４  携帯電話特定情報入力手段
４０５  音声楽曲再生手段
４０６  音声楽曲情報生成手段
４０７  音声楽曲情報蓄積手段
４０８  ユーザ情報送信手段
４０９  ユーザ情報送信手段起動手段
４１０  音声楽曲データ受信手段
４１１  ユーザ情報蓄積手段
４１２  コンテンツデータベース
４１３  送信コンテンツ判定手段
４１４  送信コンテンツ判定手段起動手段
４１５  コンテンツ送信手段
４１６  コンテンツ受信手段
４１７  コンテンツ保存手段
５０１  音声楽曲再生装置
５０２  コンテンツ配信装置
５０３  携帯電話
５０４  携帯電話特定情報入力手段
５０５  携帯電話特定情報保存手段
５０６  音声楽曲再生手段
５０７  音声楽曲情報生成手段
５０８  携帯電話特定情報選択手段
５０９  ユーザ情報送信手段
５１０  音声楽曲データ受信手段
５１１  ユーザ情報蓄積手段
５１２  コンテンツデータベース
５１３  送信コンテンツ判定手段
５１４  コンテンツ送信手段
５１５  コンテンツ受信手段
５１６  コンテンツ保存手段
【図１】
2004219790.tif 000003
【図２】
2004219790.tif 000004
【図３】
2004219790.tif 000005
【図４】
2004219790.tif 000006
【図５】
2004219790.tif 000007